(57)【要約】      （修正有）【課題】払拭部でノズル開口配置部を払拭した後は、流体の一例であるインクが残留せず、記録媒体の一例である紙等を汚染することのない流体噴射装置及び流体噴射装置の払拭部材を提供すること。【解決手段】流体噴射装置は、ノズル開口配置部３０ａのノズル開口部５１Ａ等が配置されているノズル開口形成領域５０Ａ等を含む第１の払拭領域ＷＡ２等を払拭する第一払拭部１６２ａ等と、第一払拭部１６２ａで払拭できないノズル開口配置部３０ａの未払拭領域を含む第２の払拭領域ＷＢ２等を払拭する第二払拭部１６２ｂとを備える。【選択図】図４
2008194963.tif 000002
【特許請求の範囲】
【請求項１】
流体を吐出するノズルの開口部を有するノズル開口配置部と、
前記ノズル開口配置部の流体を払拭する流体払拭部と、を有する流体噴射装置であって、
前記流体払拭部は、
前記ノズル開口配置部のうち、前記ノズル開口部が配置されているノズル開口形成領域を含む第１の払拭領域を払拭する第一払拭部と、
少なくとも、前記第一払拭部で払拭できない前記ノズル開口配置部の未払拭領域を含む第２の払拭領域を払拭する第二払拭部と、
を備えることを特徴とする流体噴射装置。
【請求項２】
前記第一払拭部は、ゴム状の弾性体により形成され、前記第二払拭部は、前記流体を吸収する吸収材により形成されていることを特徴とする請求項１に記載の流体噴射装置。
【請求項３】
前記第二払拭部は、前記ノズル開口配置部を払拭する方向において、少なくとも一部分が前記第一払拭部と重なるように配置されており、さらに、前記第２の払拭領域の少なくとも一部が前記第１の払拭領域より外側となるように配置されていることを特徴とする請求項１または請求項２に記載の流体噴射装置。
【請求項４】
前記第二払拭部は、前記第一払拭部が前記ノズル開口配置部を払拭する際に、前記ノズル開口配置部と当接しないように前記第一払拭部の払拭する方向において、前記第一払拭部から離間して配置されていることを特徴とする請求項１乃至請求項３のいずれか一項に記載の流体噴射装置。
【請求項５】
前記第二払拭部は、前記ノズル開口配置部を前記払拭する方向に対し交差する方向にあって、前記第一払拭部と並列する位置に配置されており、前記第二払拭部が前記ノズル開口配置部を払拭する際には、前記第一払拭部の前記払拭する方向における移動の際の経路と同一の経路を移動して払拭するように構成されていることを特徴とする請求項１乃至請求項３のいずれか一項に記載の流体噴射装置。
【請求項６】
前記第一払拭部の前記ノズル開口配置部と接触する接触部が、前記ノズル開口配置部の接触面と対応する形状となっており、
前記第二払拭部の前記ノズル開口形成領域に対応する部分が、略凹部形状となっていることを特徴とする請求項１乃至請求項５のいずれか一項に記載の流体噴射装置。
【請求項７】
流体を吐出するノズルの開口部を有するノズル開口配置部と、
前記ノズル開口配置部の流体を払拭する流体払拭部と、を有する流体噴射装置の流体払拭部であって、
前記ノズル開口配置部のうち、前記ノズル開口部が配置されているノズル開口形成領域を含む第１の払拭領域を払拭する第一払拭部と、
少なくとも、前記第一払拭部で払拭できない前記ノズル開口配置部の未払拭領域を含む第２の払拭領域を払拭する第二払拭部と、
を備えることを特徴とする流体噴射装置の流体払拭部。
【発明の詳細な説明】
【技術分野】
【０００１】
本発明は、流体噴射装置および流体噴射装置の流体払拭部に関する。
【背景技術】
【０００２】
従来より、例えば、インクジェット式記録装置には、記録用紙等にインクを吐出する為のインクジェット式記録ヘッドが備えられている。また、このインクジェット式記録ヘッドには、記録媒体である記録用紙等にインクを吐出するためのノズルが多数設けられており、このノズルから記録用紙等に対して微小なインク滴を吐出させて、所望の文字や図形等の画像を記録する構成となっている。そしてノズルは、記録ヘッドに備わるプレートに複数配置されて、例えば、ノズルプレート等を形成している。
このようなインクジェット式記録装置の、インクジェット式記録ヘッドは、ノズルを介してインクを記録用紙等に吐出する。
【０００３】
このため、ノズルやノズル近傍において、ノズルから吐出されたインクが、記録用紙等の記録媒体に衝突した際に飛び散り、ノズルプレート面にあたりノズルプレートを汚染する場合がある。そして、この飛び散ったインクが増粘して、ノズルの目詰まりの原因となり、インクの吐出が良好に行えなくなる場合がある。
【０００４】
そこで、この様な現象を防止するため、待機中や停止中にインクジェット式記録ヘッドをキャップ部等で覆ったり、また、この覆われたヘッドに設けられているノズルの出口近傍のインクを吸引等することによって、ノズルからの吐出不良の原因となる増粘インク等を除去する吸引工程が行われる。
【０００５】
ところで、この吸引工程を行った後に、ノズル出口近傍にインクが残留することがあり、ノズルプレートを汚染することがある。このような記録ヘッドのノズルプレートの汚染により、記録媒体の塵埃や紙粉等の付着を招き、記録ヘッドの長時間のノズルの目詰まりを誘発する原因となったり、インクの吐出不良を招く原因となる。
【０００６】
そこで、このような問題を解決する為に、ノズル出口近傍のインクを拭き取ることにより、ノズルのインクの吐出不良を防止するための、ワイピングブレード（以下、単に「ブレード」という）の開示がなされている。そして、特許文献１では、このブレードが各色用のブレードを有しており、ノズルプレートをワイピング（「払拭」または「拭き取り」とも言う）してノズルの出口近傍に残留するインクを除去する際に、除去したいノズルの配置部分を払拭することができるように、各色用のブレードが個別に移動できるような機構を備えるものが提案されている。
【特許文献１】特開２００６−５１８０５号公報（図７、図２１等）
【発明の開示】
【発明が解決しようとする課題】
【０００７】
特許文献１は、図１５に示すように、ノズルプレート面３０ａは、各色用のインクが吐出される為のノズル開口５１Ａ、５１Ｂ、５１Ｃ、５１Ｄがあり、これらを複数個設けたインク開口列５０Ａ、５０Ｂ、５０Ｃ、５０Ｄを有しており、各インク開口列５０Ａ、５０Ｂ、５０Ｃ、５０Ｄをそれぞれ払拭できるようにブレード６１、６２、６３、６４が設けられている構成を備えるものである。これらのブレード６１、６２、６３、６４は、それぞれ払拭領域ＷＡ１、ＷＡ２、ＷＡ３、ＷＡ４と対応するようにブレード払拭面６１Ａ、６２Ａ、６３Ａ、６４Ａを有している。これらのブレード６１等が、インク開口列５０Ａ等を払拭するように、Ｗ１の方向に移動する。その際には、払拭面６１Ａ等が、払拭領域ＷＡ１等上を移動して、インク開口５１Ａ等の出口付近に残留するインクを除去するようになっている。
【０００８】
しかし、このようなブレード６１等では、例えば、図１６で示すワイピングの状態の概略説明図のように、ノズルプレート面を払拭する際に、ノズルプレートのカバー部材やブレードの幅より外側に、インクを押し出してしまうことがある。そして、この除去しきれないインクがノズルプレート上やカバー部材上に筋上のインク残り（図面上、インク筋ＩＬ１、ＩＬ２で示している）を生じてしまう場合もある。また、上記問題点は、各色毎にブレードを動かす例を示しているが、図１７に示すワイピングの状態の概略説明図のように、ブレード７０でインク開口５１Ａ等のインク開口列５０Ａ等を一度に払拭する場合も、上述と同様にインク筋ＩＬ１、ＩＬ２等を生じてしまう場合がある。
そして、この筋上のインク残りが放置されると、インクが増粘され、堆積され、記録媒体を汚染するという問題があった。
【０００９】
そこで、本発明は、ノズル開口配置部の付着物を流体払拭部で効果的に払拭することができる流体噴射装置及び流体噴射装置の払拭部材を提供することを目的としている点にある。
【課題を解決するための手段】
【００１０】
上記課題は、本発明によれば、流体を吐出するノズルの開口部を有するノズル開口配置部と、前記ノズル開口配置部の流体を払拭する流体払拭部と、を有する流体噴射装置であって、前記流体払拭部は、前記ノズル開口配置部のうち、前記ノズル開口部が配置されているノズル開口形成領域を含む第１の払拭領域を払拭する第一払拭部と、少なくとも、前記第一払拭部で払拭できない前記ノズル開口配置部の未払拭領域を含む第２の払拭領域を払拭する第二払拭部と、を備えることを特徴とする流体噴射装置により達成される。
【００１１】
前記構成によれば、流体噴射装置のノズル開口配置部の流体を払拭する流体払拭部は、第一払拭部と第二払拭部とからなり、第一払拭部はノズル開口配置部のうち、前記ノズル開口部が配置されているノズル開口形成領域を含む第１の払拭領域を払拭し、第二払拭部は少なくとも、前記第一払拭部で払拭できない前記ノズル開口配置部の未払拭領域を含む第２の払拭領域を払拭する構成となっている。
【００１２】
このため、第一払拭部で、ノズル開口形成領域の流体を払拭した後に、第二払拭部により、第一払拭部で払拭できないノズル開口配置部の未払拭領域を含む領域を払拭する構成となっているので、ノズル開口配置部をこの第一払拭部と第二払拭部を備える流体払拭部で払拭した後は、流体が残留することが無い。
従って、流体がノズル開口配置部に残留して、堆積することも無いので、記録媒体を汚染することがない。
【００１３】
好ましくは、前記第一払拭部は、ゴム状の弾性体により形成され、前記第二払拭部は、前記流体を吸収する吸収材により形成されていることを特徴とする流体噴射装置である。
【００１４】
前記構成によれば、流体噴射装置の流体払拭部は、第一払拭部をゴム状の弾性体により形成し、第二払拭部は吸収材で形成している。
従って、第一払拭部でノズル開口配置部のノズル開口部が配置されているノズル開口形成領域を払拭する際に、弾性変形してノズル開口形成領域に追従して払拭することができ、流体を取り除くことができる。そして、第一払拭部で、払拭した際に、第一払拭部の幅方向に流体がはみ出している場合は、吸収材よりなる第二払拭部で更に払拭することにより、流体が吸収され、ノズル開口配置部に残留する流体を取り除くことができる。
【００１５】
好ましくは、前記第二払拭部は、前記ノズル開口配置部を払拭する方向において、少なくとも一部分が前記第一払拭部と重なるように配置されており、さらに、前記第２の払拭領域の少なくとも一部が前記第１の払拭領域より外側となるように配置されていることを特徴とする流体噴射装置である。
【００１６】
前記構成によれば、流体噴射装置の流体払拭部は、第二払拭部がそのノズル開口配置部の払拭方向において、少なくとも一部分が第一払拭部と重なるように配置されている。
従って、第一払拭部が払拭する第１の払拭領域は、第二払拭部が払拭する領域である第２の払拭領域と一部が重なるようになっている。
また、第二払拭部の払拭する領域である第２の払拭領域は、第一払拭部の払拭する領域である第１の払拭領域より少なくとも一部が外側となるように、第二払拭部が配置されている構成であるので、第一払拭部で払拭した際に、第一払拭部で外側に押し出された流体は、第二払拭部で効率よく払拭することが可能となる。
【００１７】
好ましくは、前記第二払拭部は、前記第一払拭部が前記ノズル開口配置部を払拭する際に、前記ノズル開口配置部と当接しないように前記第一払拭部の払拭する方向において、前記第一払拭部から離間して配置されていることを特徴とする流体噴射装置である。
【００１８】
前記構成によれば、流体噴射装置の流体払拭部の第一払拭部と第二払拭部とは、ノズル開口配置部の払拭方向において、第一払拭部が第１の払拭領域を払拭する方向において、第二払拭部はノズル開口配置部と当接しない程度に離間して配置されている。
従って、第一払拭部と第二払拭部とを同時に移動させても、第一払拭部でノズル開口配置部のノズル開口形成部を払拭している際には、第二払拭部はノズル開口配置部を払拭することは無く、第一払拭部の払拭を干渉することがない。また、第二払拭部がノズル開口配置部を払拭している際には、第一払拭部が第二払拭部の払拭に干渉することが無いようになっている。このため、第一払拭部でノズル開口形成部の残留流体を除去した後に、第二払拭部で第一払拭部の払拭できないノズル開口配置部の未払拭領域の残留流体を取り除くことができる。
【００１９】
好ましくは、前記第二払拭部は、前記ノズル開口配置部を前記払拭する方向に対し交差する方向にあって、前記第一払拭部と並列する位置に配置されており、前記第二払拭部が前記ノズル開口配置部を払拭する際には、前記第一払拭部の前記払拭する方向における移動の際の経路と同一の経路を移動して払拭するように構成されていることを特徴とする流体噴射装置である。
【００２０】
前記構成によれば、流体噴射装置の流体払拭部の第一払拭部がノズル開口配置部を移動した後に第二払拭部が第一払拭部と同一の経路を移動するような構成となっており、第二払拭部は前記第一払拭部の前記ノズル開口配置部を払拭する方向に対し交差する方向であって、前記第一払拭部と並列する位置に配置されている。
従って、第一払拭部がノズル開口配置部を移動する際には、第二払拭部は第一払拭部の払拭を干渉することが無い。そして、第二払拭部は第一払拭部と並列して配置されており、第一払拭部がノズル開口配置部を移動した後に、その移動の経路と同一の経路を通るように移動する構成を備えているので、確実に流体を払拭することができる。
【００２１】
好ましくは、前記第一払拭部の前記ノズル開口配置部と接触する接触部が、前記ノズル開口配置部の接触面と対応する形状となっており、前記第二払拭部の前記ノズル開口形成領域に対応する部分が、略凹部形状となっていることを特徴とする流体噴射装置である。
【００２２】
前記構成によれば、流体噴射装置の流体払拭部は、第一払拭部のノズル開口配置部と接触する接触部がノズル開口配置部と対応する形状となっており、第二払拭部はノズル開口形成領域に対応する部分が略凹部形状となっている。
従って、第一払拭部はノズル開口配置部のノズル開口形成部を払拭し、そして、第二払拭部は第一払拭部が払拭できないノズル開口配置部の未払拭領域を払拭することができるようになっているので、ノズル開口配置部を第一払拭部が払拭する方向に沿った第１の払拭領域の両端に筋上に残留する流体を確実に第二払拭部で払拭することができるようになっている。
【００２３】
上記課題は、本発明によれば、流体を吐出するノズルの開口部を有するノズル開口配置部と、前記ノズル開口配置部の流体を払拭する流体払拭部と、を有する流体噴射装置の流体払拭部であって、前記ノズル開口配置部のうち、前記ノズル開口部が配置されているノズル開口形成領域を含む第１の払拭領域を払拭する第一払拭部と、少なくとも、前記第一払拭部で払拭できない前記ノズル開口配置部の未払拭領域を含む第２の払拭領域を払拭する第二払拭部と、を備えることを特徴とする流体噴射装置の流体払拭部により達成される。
【発明を実施するための最良の形態】
【００２４】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２５】
（第１の実施形態）  
図１は、本発明の流体噴射装置の実施形態にかかるインクジェット式記録装置（以下「記録装置」という）１０を示す概略斜視図である。図１に示す記録装置１０は、インクジェットプリンタとも呼ばれている。
記録装置１０は、本体部１を有している。この本体部１は、ガイドレール１７、プラテン１２、キャリッジ１４、インク吸引装置２０、記録ヘッド３０を備えている。記録ヘッド３０は、記録用紙に対しインク（流体の一例）を吐出（以下、「噴射」ともいう）する流体噴射ヘッドの一例である。
【００２６】
図１に示す記録装置１０は、いわゆるオンキャリッジ型の記録装置であり、キャリッジ１４の上部には、複数のインクカートリッジ２，３，４及び５が着脱可能に装着できる構成となっている。インクカートリッジ２等には、流体の一例であるインクが収納されている。インクカートリッジ２には黒のインクが収納されており、インクカートリッジ３にはシアンのインクが収納されており、インクカートリッジ４にはイエローのインクが収納されており、インクカートリッジ５にはマゼンタのインクが収納されている。
キャリッジ１４の下部には、記録ヘッド３０が設けられている。記録ヘッド３０が、用紙２９に対面するノズルプレート面３０ａには、インクを噴射するためのノズル開口が設けられている。
【００２７】
キャリッジ１４は、ベルト１５を介してモータ１６に接続されている。モータ１６が作動することによって、キャリッジ１４はガイドレール１７に沿ってプラテン１２の軸方向である主走査方向Ｔに往復走行する。記録ヘッド３０からインクを吐出しつつ、キャリッジ１４が主走査方向Ｔ（Ｔ１，Ｔ２）に往復走行することで、記録媒体の一例である用紙２９上に画像が記録される。
【００２８】
ガイドレール１７の一方の端部にはワイピングポジションＷＰとホームポジション１８が配置されている。このワイピングポジションＷＰは、払拭作業位置またはホームドポジションとも言い、キャリッジの走行経路の末端にある非印刷領域である。
このワイピングポジションＷＰには、インク吸引装置２０が配置されている。このインク吸引装置２０は、キャッピングシステムもしくはキャッピング手段とも呼ばれており、流体受容部の一例である。図１のキャリッジ１４の記録ヘッド３０は、Ｔ１方向に沿ってワイピングポジションＷＰに移動して、インク吸引装置２０のキャップ本体２１に対面する。そして、インク吸引装置２０は、記録ヘッド３０のノズル開口が設けられているノズルプレート面３０ａに密着する。そして、ノズルプレート面３０ａが吸引されノズルプレート面３０ａに付着しているインクを、インク払拭部１３０であるブレード１６１、１６２、１６３、１６４で払拭する。
ホームポジション１８は、記録ヘッド３０からのインク払拭あるいはインクの吸引を行わない場合の待機位置となっている。
【００２９】
インク吸引装置２０は、記録ヘッド３０に密着した状態で、記録ヘッド３０のノズル開口のインクの乾燥を防止する機能と、吸引ポンプ１９からの負圧をノズル開口に作用させてノズル開口からインクを強制的に吸引して排出させる機能を備える。
この他に、インク吸引装置２０には、ブレード１６１乃至１６４が設けられている。このブレード１６１乃至１６４を備えるインク払拭部１３０は、後述するように、記録ヘッド３０のノズルプレート面３０ａのインクを払拭する流体払拭部の一例となっている。そして、インク払拭部１３０は、インク吸引装置２０とほぼ同じ位置にある。
【００３０】
図１の実施形態では、複数のインクカートリッジ２乃至５が、キャリッジ１４の上に直接搭載されている。本発明の実施形態は、これに限らず、インクカートリッジ２乃至５をキャリッジ１４とは別の位置に搭載しているいわゆるオフキャリッジ型のインクジェット式記録装置を採用してもよい。
また、インク払拭部１３０のブレード１６１乃至１６４を、インクカートリッジ２乃至５に対応するように設けた例を示しているが、これに限らず、インク吸引装置２０の走査方向Ｔのホームポジション１８よりに、ノズルプレート面３０ａに対応させる大きさとなるように設けてもよい。
各ブレード１６１乃至１６５は、後述するように、第１ブレードと第２ブレードで構成されるようになっており、ノズルプレート面３０ａを走査方向Ｔと垂直する方向である払拭方向Ｗ（Ｗ１、Ｗ２）に往復作動するようになっている。
【００３１】
記録装置１０は、例えばカラープリンタとして用いられる場合は、記録ヘッド３０は、種類の異なる複数種類のインクを吐出するため、インクごとに独立したインク経路であるノズルを有している。そして、このインク経路の先には、各インク滴が噴射される出口であるノズル開口を有している。
図２に記録ヘッド３０部分の概略斜視図を示している。そして、図３は、この記録ヘッド３０のノズルプレート面３０ａ側からの概略正面図を示している。
【００３２】
図２及び図３に示すように、記録ヘッド３０は、ノズルプレート３１を有している。このノズルプレート３１は、ノズル開口５１Ａ、５１Ｂ、５１Ｃ、５１Ｄを配置したノズル開口配置部の一例であるノズルプレート面３０ａを有している。
そして、このノズルプレート３１は、カバー部材によって覆われ、保持されるようになっている場合もある。ここでは、ノズルプレート３１だけでなく、カバー部材がある場合はカバー部材も含めた概念としてノズル開口配置部と呼んでいる。
そして、このノズル開口５１Ａ、５１Ｂ、５１Ｃ、５１Ｄは、各インクに対応するノズルのインクの出口となっており、ノズル開口５１Ａ、５１Ｂ、５１Ｃ、５１Ｄには、図示しないノズルからのインクの供給部と連結する構成となっている。そしてこのノズル開口５１Ａ、５１Ｂ、５１Ｃ、５１Ｄは、各インクを吐出するように、列ごとに配置されており、ノズル開口列５０Ａ、５０Ｂ、５０Ｃ、５０Ｄの用に配置されている。そして、ブレード１６１、１６２、１６３、１６４は、このノズル開口列５０Ａ、５０Ｂ、５０Ｃ、５０Ｄごとに払拭するように配置されている。そして、各ブレードの払拭領域は、例えば、払拭領域ＷＡ１、ＷＡ２、ＷＡ３、ＷＡ４のようになっており、各ノズル開口列ごとに払拭できるようになっている。（図４参照）
【００３３】
図４は、インク払拭部１３０と記録ヘッド３０のノズルプレート面３０ａとの位置関係を説明する為の概略説明図である。そして、ブレード１６１、１６２、１６３、１６４は、第１ブレード１６１ａ、１６２ａ、１６３ａ、１６４ａと第２ブレード１６１ｂ、１６２ｂ、１６３ｂ、１６４ｂとから構成されている。
第１ブレード１６１ａ乃至１６４ａは、図４に示すように記録ヘッド３０のノズルプレート面３０ａの払拭領域ＷＡ１乃至ＷＡ４にそれぞれ対応するような形状となっている。
第１ブレード１６１ａは、払拭領域ＷＡ１を払拭するようになっており、第１ブレード１６２ａは、払拭領域ＷＡ２を払拭するようになっている。そして、第１ブレード１６３ａは、払拭領域ＷＡ３を払拭し、第１ブレード１６４ａは払拭領域ＷＡ４を払拭するようになっている。
【００３４】
ここで、払拭領域ＷＡ１は、ノズル開口５１Ａの列であるノズル開口列５０Ａを含む領域となっており、払拭領域ＷＡ２は、ノズル開口５１Ｂの列であるノズル開口列５０Ｂを含む領域となっている。そして、ＷＡ３は、ノズル開口５１Ｃの列であるノズル開口列５０Ｃを含み、ＷＡ４は、ノズル開口５１Ｄの列であるノズル開口列５０Ｄを含む領域となっている。従って、第１ブレード１６１ａ乃至１６４ａは、それぞれノズル開口５１Ａ乃至５１Ｄのノズル開口列５０Ａ乃至５０Ｄを含む領域である払拭領域ＷＡ１乃至ＷＡ４を払拭するようになっている。
そして、第２ブレード１６１ｂ乃至１６４ｂは、第１ブレード１６１ａ乃至１６４ａの外側に配置されている。これは、第２ブレード１６１ｂ乃至１６４ｂの配置は、第２ブレード１６１ｂ乃至１６４ｂが払拭領域ＷＡ１乃至ＷＡ４の払拭方向Ｗと同一方向の端部を含む領域を払拭するようになっている。そして、第１ブレード１６１ａ乃至１６４ａの両端部に配置されるようになっている。
【００３５】
その第１ブレード１６１ａ乃至１６４ａと第２ブレード１６１ｂ乃至１６４ｂとの関係を示すため、概略拡大図を図５及び図６に示す。図面上では、第１ブレード１６２ａと第２ブレード１６２ｂを例示しているが、他の第１ブレード１６１ａ、１６３ａ、１６４ａと第２ブレード１６１ｂ、１６３ｂ、１６４ｂも同様な構成となっているので、説明するために、ブレード１６２を例示している。
従って、第２ブレード１６２ａを例にして更に詳細に説明する。
つまり、図５及び図６を参照すると、払拭領域ＷＡ１の払拭方向Ｗと同一の方向での端部を含む領域とは、払拭領域ＷＡ１と払拭領域ＷＡ２の境界の領域と、払拭領域ＷＡ２と払拭領域ＷＡ３の境界領域であり、第２ブレード１６２ｂは、このような領域を払拭できる位置と対応する位置に配置されている。そして、第２ブレード１６２ｂは、第１ブレード１６２ａの両端部に配置されるようになっている。
【００３６】
同様に、第２ブレード１６１ｂは第１ブレード１６１ｂの外側の両端部に配置され、第２ブレード１６３ｂは、第１ブレード１６３ａの外側の両端部に配置され、第２ブレード１６４ｂの外側の両端部に第１ブレード１６４ａが配置されている。
【００３７】
そして、第１ブレード１６１ａ乃至１６４ａと第２ブレード１６１ｂ乃至１６４ｂとからそれぞれ構成されているブレード１６１、１６２、１６３、１６４は、走査方向Ｔに対し、それぞれずれた位置を払拭できるような形状となっている。そして、これらのブレード１６１乃至１６４は、それぞれ図示しない保持部で着脱可能に保持される構成となっている。そして、記録ヘッド３０とキャリッジ１４が、走査方向ＴのＴ１方向に移動すると、ホームポジション１８からワイピングポジションＷＰに移動できるようになっており、ブレード１６１乃至１６４は、ワイピングポジションＷＰに対応する位置に配置されるようになっている。ワイピングポジションＷＰには、吸引ポンプ１９及びインク吸引装置２０が配置されており、記録ヘッド３０はこの上の位置まで移動するようになっている。
【００３８】
そして、これらのブレード１６１乃至１６４の移動操作の手段としては、例えば、第１リードスクリュー２００と第２リードスクリュー２０１を設けており、ブレード１６１乃至１６４は、記録ヘッド３０のノズルプレート面３０ａをその払拭方向Ｗに沿って、各ブレード１６１乃至１６４ごとに移動して、ノズルプレート面３０ａを払拭するようになっている。そして、ノズルプレート面３０ａに付着するインクを払拭するようになっている。
【００３９】
次に、第１ブレード１６１ａ乃至１６４ａと第２ブレード１６１ｂ乃至１６４ｂとの払拭する方向との関係について説明すると、第１ブレード１６１ａ乃至１６４ａが、第２ブレード１６１ｂ乃至１６４ｂより先に払拭できる配置となっている。つまり、第１ブレード１６１ａ乃至１６４ａは払拭方向Ｗの向きＷ１側に配置されている。
そして、第１ブレード１６１ａ乃至１６４ａは、好ましくは、弾性変形可能な材料であるゴム状弾性体で構成されており、例えば、ゴムや熱可塑性エラストマー、プラスチック等で形成されている。そして、第２ブレード１６１ｂ乃至１６４ｂは、好ましくは、吸収性のある材料で構成されており、例えば、パルプや不織布等で形成されている。
【００４０】
従って、第１ブレード１６１ａ乃至１６４ａと第２ブレード１６１ｂ乃至１６４ｂとが上述のような位置関係で配置されているので、次のようにノズルプレート面３０ａを払拭して、ノズル開口列５０Ａ、５０Ｂ、５０Ｃ、５０Ｄの残存しているインク及びこれらのインク開口列５０Ａ、５０Ｂ、５０Ｃ、５０Ｄの間にインク筋が残ることがないものとなっている。
【００４１】
つまり、図７乃至図１０を参照してさらに説明する。例えば、ブレード１６２を例にとって説明すると、ブレード１６２を払拭方向Ｗの向きＷ１側に移動させると、第１ブレード１６２ａが先に移動し、その後を第２ブレード１６２ｂが追従して移動するようになっている。そして、ブレード１６２を払拭方向Ｗの向きＷ２側に移動させると、今度は逆に第２ブレード１６２ｂが先に移動し、その後を第１ブレード１６２ａが追従して移動するようになっている。これは他のブレード１６１、１６３、１６４も同様となっており、つまり、第１ブレード１６２ａと第２ブレード１６２ｂとは、互いに伴って、払拭方向Ｗを往復移動するようになっている。
【００４２】
そして、この移動の際に、図８等で示すように、第１ブレード１６２ａと第２ブレード１６２ｂとは干渉しないように、払拭方向Ｗと同一方向に間隔を設けて配置されている。つまり、図７及び図８で示すように、払拭方向Ｗの向きＷ１に移動する際に、ノズルプレート面３０ａと接触して払拭領域ＷＡ２を払拭するのが、第１ブレード１６２ａであり、第２ブレード１６２ｂは第１ブレード１６２ａの後を追随して向きＷ１側に移動するようになっている。そして、図９及び図１０で示すように、逆に払拭方向Ｗの向きＷ２方向に移動する場合は、ノズルプレート面３０ａのＷＢ２と接触して払拭するのは第２ブレード１６２ｂであり、第１ブレード１６２ａはその後を追従して移動することとなる。
【００４３】
従って、まず、図７及び図８で示すように、払拭方向Ｗの向きＷ１にブレード１６２が移動すると、第１ブレード１６２ａが、ノズル開口５１Ｂのノズル開口列５０Ｂを含む領域となっているＷＡ２を払拭する。つまり、ノズルプレート面３０ａに当接して移動するのは第１ブレード１６２ａであり、第２ブレード１６２ｂは第１ブレード１６２ａに伴って移動して、ノズルプレート面３０ａには当接しないようになっている。従って、払拭方向Ｗの向きＷ１に移動すると、ノズル開口列５０Ｂのノズル開口５１Ｂのインクの出口付近に残存しているインクを第１ブレード１６２ａで払拭して取り除くことができるようになっている。上述したように、第１ブレード１６２ａ等は弾性変形可能な材料であるゴム状の弾性体で構成されているので、ノズルプレート面３０ａに追従してインクを払拭できるようになっている。
ここで、払拭領域ＷＡ２等は第１の払拭領域の一例となっている。また、ノズル開口列５０Ｂ等はノズル開口形成領域の一例となっている。そして、ノズル開口５１Ｂ等はノズル開口部の一例となっている。
そして、第１ブレード１６２ａで取り除かれたインクは、第１ブレード１６２ａの両端の間隔を隔てて、払拭方向に沿って、インク筋ＩＬ１、ＩＬ２となって残る場合がある。（図７参照）第１ブレード１６２ａの両端の間隔とは、払拭領域ＷＡ２の幅（払拭領域ＷＡ２の払拭方向に対して垂直する方向）とほぼ一致している。そして、このＷＡ２の幅側に払拭方向に沿って、インク筋（ＩＬ１、ＩＬ２）が残ってしまう。
【００４４】
そこで、次に第２ブレード１６２ｂが、図９及び図１０で示すように、払拭方向Ｗの向きＷ２を移動する際に、このインク筋ＩＬ１、ＩＬ２を払拭して除去するようになっている。第２ブレード１６２等は、上述したように吸収材で構成されているので、インク筋ＩＬ１、ＩＬ２のインクを吸収して払拭するようになっている。
第２ブレード１６２は、上述したように、第１ブレード１６２ａの両端側に配置されている。そして、図１０に示すように、払拭方向Ｗの向きＷ２に移動する際は、第２ブレード１６２ｂがノズルプレート面３０ａと当接するようになり、第１ブレード１６２ａは当接しないように配置されている。また、第２ブレード１６２ａは、第１ブレード１６２ａの両端側にそれぞれ払拭領域ＷＡ２の幅を跨ぐように配置されている。従って、第２ブレード１６２ｂが払拭する領域は、第１ブレード１６２ａの払拭領域ＷＡ２のインク筋ＩＬ１、ＩＬ２を払拭できる位置となっている。従って、インク筋ＩＬ１、ＩＬ２は第２ブレード１６２ｂで除去される。（図９）つまり、第２ブレード１６２ｂが払拭する領域は、払拭領域ＷＡ１と払拭領域ＷＡ２の境界領域と払拭領域ＷＡ２と払拭領域ＷＡ３の境界領域であり、図面上は第２払拭領域ＷＢ２としている領域である。
【００４５】
つまり、第１ブレード１６２ａと第２ブレード１６２ｂとは、以上のように配置されているので、払拭方向Ｗに往復移動することで、ノズルプレート面３０ａのインク残りなく除去することが可能となる。
【００４６】
上述の説明は、第１ブレード１６２ａと第２ブレード１６２ｂに限らず、第１ブレード１６１ａと第２ブレード１６１ｂ、第１ブレード１６３ａと第２ブレード１６３ｂ、第１ブレード１６４ａと第２ブレード１６４ｂとの関係でも同様であり、第１ブレード１６１ａ、１６３ａ、１６４ａと第２ブレード１６１ｂ、１６３ｂ、１６４ｂの払拭方向Ｗの向きＷ１と向きＷ２に移動して払拭した後は、ノズルプレート面３０ａにインク残りがないので、インクの堆積により、記録媒体の一例である紙等を汚染することがない。そして、また、ノズル目詰まりや吐出不良を生じることもないものとなっている。
そして、第２払拭領域ＷＢ１乃至ＷＢ４は第２の払拭領域の一例となっている。
ここでは、第２ブレード１６２ｂを例示して説明しているが、同様に、この第２払拭領域ＷＢ１、ＷＢ３、ＷＢ４は、それぞれ第２ブレード１６１ｂ、１６３ｂ、１６４ｂがノズルプレート面３０ａと接触する面となっている。
【００４７】
また、ノズルプレート面３０ａはノズル開口配置部の一例となっている。そして、第１ブレード１６１ａ、１６２  ａ、１６３ａ、１６４ａは第１払拭部の一例となっており、第２ブレード１６１ｂ、１６２ｂ、１６３ｂ、１６４ｂは第２払部の一例となっている。
そして、ノズル開口５１Ａ、５１Ｂ、５１Ｃ、５１Ｄおよびノズル開口列５０Ａ、５０Ｂ、５０Ｃ、５０Ｄは、複数のノズル開口部の一例となっている。
また、第１ブレード１６１ａ乃至１６４ａと、第２ブレード１６１ｂ乃至１６４ｂとを空間を空けて配置した例を示しているが、空間を詰めて配置して良いし、第１ブレード１６１ａ乃至１６４ａと、第２ブレード１６１ｂ乃至１６４ｂとをそれぞれ好ましい材質で一体として構成しても良い。この場合は、例えば、払拭方向Ｗの向きＷ１側の第１ブレード１６１ａ乃至１６４ａを弾性変形可能なゴム状の弾性体で形成し、その裏側である払拭方向Ｗの向きＷ２側の第２ブレード１６１ｂ乃至１６４ｂを吸収材等で構成しても良い。
【００４８】
（第２の実施形態）
第２の実施形態として、多くの構成は第１の実施形態と共通するため、共通する構成については説明を省略し、異なる構成を中心に説明する。
【００４９】
第１の実施形態では、第２ブレード１６１ｂ乃至１６４ｂは、第１ブレード１６１ａ乃至１６４ａの払拭領域の幅方向における両端部の二箇所に別体に設けたが、ここでは、第２ブレードを一体にしている点が異なる。
すなわち、図１１及び図１２に示すように、払拭する際に、第２ブレード６１１ｂ、６１２ｂ、６１３ｂ、６１４ｂ（図では、６１２ｂ）は、インク開口列５０Ａ、５０Ｂ、５０Ｃ、５０Ｄの位置は払拭しないような形状であれば良く、例えばインク開口列５０Ａ等の位置と対応する部分を凹状に窪ませて、略凹部形状としている。この場合のノズルプレート面を払拭する際の動作は、上述の第１の実施形態と同様である。
【００５０】
図１１は、第２の実施形態のブレード６１２の概略斜視図となっている。そして、図１２は第２の実施形態のブレード６１２の概略正面図となっている。図面上は、ブレード６１２を中心に図示しているが、第１の実施形態の場合と同様、他のブレードも第１ブレードと第２ブレードとの配置関係等は同様であるので、ここではブレード６１２を示し説明する。第１の実施形態におけるブレード１６２に変えて、ブレード６１２を使用する。第１の実施形態におけるブレード１６２は、ここでは、ブレード６１２であり、第１ブレード１６２ａの両側に配置されていた第２ブレード１６２ｂに変えて、略凹部形状の第２ブレード６１２ｂを設けている。ここで、第１ブレード１６１ａ、１６２ａ、１６３ａ、１６４ａは第１払拭部の一例となっており、第２ブレード６１１ｂ、６１２ｂ、６１３ｂ、６１４ｃは第２払部の一例となっている。  
【００５１】
そして、払拭方向Ｗの向きＷ１にブレード６１２を移動させると、ノズルプレート面３０ａのノズル開口列５０Ｂを含む領域であるＷＡ２は第１ブレード１６２ａで払拭される。次いで、払拭方向Ｗの向きＷ２にブレード６１２を移動させると、今度は第２ブレード６１２ｂがノズル開口列５０Ｂを除いた払拭領域であって、払拭領域ＷＡ２の幅の部分を含む領域である第２払拭領域ＷＢ２を払拭して、インク筋ＩＬ１、ＩＬ２を取り除く。
ここで、ブレード６１２を構成する第２ブレード６１２ｂの材質等は第１の実施形態と同様である。
つまり、第１ブレード１６２ａがノズルプレート面３０ａを払拭方向Ｗの向きＷ１に移動する際には、第２ブレード６１２ｂは追従して払拭方向Ｗの向きＷ１に移動する。このとき、ＷＡ２を払拭するのは、第１ブレード１６２ａである。そして、逆に払拭方向Ｗの向きＷ２に移動する場合は、第２ブレード６１２ｂが先に移動し、そして第１ブレード１６２ａは第２ブレード６１２ｂに追従して移動する。この場合は、第２ブレード６１２ｂがＷＡ２の幅であり、払拭方向と対応する払拭領域ＷＡ２の両端部を含む領域である第２払拭領域ＷＢ２を払拭する。
【００５２】
従って、第１ブレード１６２ａ等でインク開口列５０Ｂ等を含む領域ＷＡ２等を払拭した際にノズルプレー面３０ａ等に残るインク筋ＩＬ１、ＩＬ２を、第２ブレード６１２ｂが吸収する。従って、インクが堆積することもなく、記録媒体を汚染することがない。また、インク開口列５０Ａ等のインク開口５１ａの出口近傍のインクを除去するので、インクの吐出不良が起こることもない。
【００５３】
また、第２の実施形態では、第２ブレード６１１ｂ、６１２ｂ、６１３ｂ、６１４ｃは一体の凹部形状とされているので、交換する際に取り付けが容易である。
上述の説明をブレード６１２の第１ブレード１６２ａと第２ブレード６１２ｂを示して説明しているが、ブレード６１１の第１ブレード１６１ａと第２ブレード６１１ｂ、ブレード６１３の第１ブレード１６３ａと第２ブレード６１１ｂ、ブレード６１４の第１ブレード１６４ａと第２ブレード６１４ｂも同様な構成となっている。
そして、ブレード６１１はノズルプレーと３０ａでの払拭領域ＷＡ１を中心とする領域に対応しており、また、ブレード６１２はノズルプレーと３０ａでの払拭領域ＷＡ２を中心とする領域に対応している。また、ブレード６１３はノズルプレーと３０ａでの払拭領域ＷＡ３を中心とする領域に対応しており、また、ブレード６１４はノズルプレーと３０ａでの払拭領域ＷＡ４を中心とする領域に対応している点も第１の実施形態と同様である。
【００５４】
（第３の実施形態）
第３の実施形態として、多くの構成は第１の実施形態と共通するため、共通する構成については説明を省略し、異なる構成を中心に説明する。
【００５５】
図１３は記録ヘッド３０とブレード６２２等の一部分の概略斜視図であり、図１４はブレード６２２の概略斜視図及び概略正面図を示している。
例えば、ブレード６２２を例示して説明すると、ブレード６２２は、第１ブレード６２２ａと第２ブレード６２２ｂとから構成されており、第１ブレード６２２ａと第２ブレード６２２ｂとは、第１の実施形態では、第１ブレード１６２ａと第２ブレード１６２ｂとを払拭方向Ｗに間隔を空けてまたは重ねて配置して設けていたのに対し、キャリッジの走査方向Ｔと対応する方向に並べて配置して設けている点である。（図１３、図１４参照）
【００５６】
そして、第１ブレード６２２ａは、ノズルプレート面３０ａのノズル開口列５０Ｂを含む領域を払拭するように設けられている。そして、第１の実施形態の払拭領域ＷＡ２と対応する範囲よりやや内側に第１ブレード６２２ａの両端が位置するように配置されている。そして、この第１ブレード６２２ａの払拭する領域は図１３上で払拭領域ＷＡ２１として示している。
そして、第２ブレード６２２ｂは、第１ブレード６２２ａと並んで設けられている。第２ブレード６２２ｂは、中央部が窪んだ形状をしており、略凹部形状となっている。そして、第１ブレード６２２ａの幅より若干大きくなるように設けられていることが好ましい。従って、第２ブレード６２２ｂのノズルプレート面３０ａとの接触面は、第１ブレード６２２ａの払拭領域ＷＡ２１の外側に設けられており、図１３上では、第２払拭領域ＷＢ２１となっている。
こここで、第１ブレード６２２ａ及び第２ブレード６２２ｂの材質等は、上述の第１の実施形態と同様である。
また、ブレード６２２を中心に示しているが、各払拭領域に対応するように各ブレード６２１、６２３、６２４が設けられている点等も第１の実施形態と同様である。そして、この払拭領域と対応する各ブレードの払拭方向の移動機構に関しても第１の実施形態とほぼ同様の構成となっている。
そして、第１ブレード６２１ａ、６２２ａ、６２３ａ、６２４ａは第１払拭部の一例となっており、第２ブレード６２１ｂ、６２２ｂ、６２３ｂ、６２４ｂは第２払部の一例となっている。また、払拭領域ＷＡ２１等は第１の払拭領域の一例となっており、第２払拭領域ＷＢ２１は第２の払拭領域の一例となっている。
【００５７】
異なる点は、上述したように、例えば、第１ブレード６２２ａと第２ブレード６２２ｂの配置である。従って、まず、払拭方向Ｗの向きＷ１にブレード６２２を移動させると、第１ブレード６２２ａがノズルプレート面３０ａのノズル開口列５０Ｂを含む領域を払拭し、ノズル開口列５０Ｂのノズル開口５１Ｂの出口付近に残存するインクを払拭して取り除く。その際に、ノズルプレート面３０ａには、第１ブレード６２２ａの幅方向に押し出されたインクが払拭方向Ｗと同一方向に筋上に残る場合がある。
その為、第１ブレード６２２ａで払拭した後に、その筋上に残存したインクを除去する必要がある。従って、第３の実施形態では、第１ブレード６２２ａで払拭領域ＷＡ２１を払拭した後に、キャリッジ１４が走査方向Ｔの向きＴ２と同一の向きに若干移動する。そして、ノズルプレート面３０ａもキャリッジ１４に伴って、第２ブレード６２２ｂの配置されている位置まで移動する。次に、ブレード６２２が払拭方向Ｗの向きＷ２に移動すると、今度は、第２ブレード６２２ｂがノズルプレート面３０ａのノズル開口列５０Ｂを除く払拭領域である第２払拭領域ＷＢ２１を払拭し、インク筋ＩＬ１、ＩＬ２を除去する。
【００５８】
従って、第１ブレード６２２ａがノズル開口配置部であるノズルプレート面３０ａを移動した後に、第２ブレード６２２ｂが第１ブレード６２２ａと同一の経路を移動して払拭できるようにキャリッジ１４が移動する構成となっている。また、第２ブレード６２２ｂは、第１ブレード６２２ａの設けられている位置に対し、ノズルプレート面３０ａの払拭方向Ｗと交差する方向であって、走査方向Ｔと平行な方向の位置に配置されており、第１ブレード６２２ａとは並んで設けられている。
従って、第１ブレード６２２ａがノズルプレート面３０ａを移動する際には、第２ブレード６２２ｂは第１ブレード６２２ａの払拭を干渉することが無い。そして、第１ブレード６２２ａが移動した後に、その移動の経路と同一の経路を通るようにキャリッジ１４が移動して、第２ブレード６２２ｂが第１ブレード６２２ａの移動経路を移動するようになっている。そのため、効率よく流体を払拭することができる。そして、ノズルプレート面３０ａには、インクが残らず、堆積することもないので、記録媒体等を汚染することがなく、また、ノズル開口の出口付近のインクも除去されるので、吐出不良等も起すことがない。
上述の説明は、ブレード６２２の第１ブレード６２２ａ及び第２ブレード６２２ｂを例示して説明しているが、ブレード６２１、６２３、６２４と第１ブレード６２１ａ、６２３ａ、６２４ａと第２ブレード６２１ｂ、６２３ｂ、６２４ｂとの関係においても同様となっている。
【００５９】
また、第２ブレード６２１乃至６２４は第１ブレード６２１ａ乃至６２４ａと並列に設けられており、第１ブレード６２１ａ乃至６２４ａの厚み方向で、重ねて設けられていない。
従って、第３の実施形態では、ブレード６２１乃至６２４を構成する第１ブレード６２１ａ乃至６２４ａと第２ブレード６２１ｂ乃至６２４ｂが並んで配置されるので、ブレード６２１乃至６２４が配置されているインク払拭領域１３０の払拭方向Ｗでのスペースは、設けられているブレード６２１乃至６２４の数分の厚みに対応するスペースで配置でき、省スペース化を図ることもできる。
【００６０】
上述の実施形態においては、インクカートリッジとして、例えば、黒、シアン、イエロー、マゼンタの各インクが収納されているインクカートリッジがキャリッジに装着できるようになっている例を示しているが、このインクカートリッジは、これに限らず、例えば黒のインクだけを備えているものでもよく、また、２つのインクカートリッジでもよく、３色ようの３つのインクカートリッジを備えているものでもよく、５つ以上のインクカートリッジを備えるようなものでもよい。
そして、そのような場合は、そのインクカートリッジの数に合わせてブレードを設けてもよく、あるいは、ノズルプレート面を一度の往復移動で払拭するようなブレードでもよい。また、上述の実施形態では、ブレードがノズルプレート面を移動する場合を中心に説明しているが、ブレードは固定されており、ブレード上でノズルプレート面を払拭するように、キャリッジが往復移動するようになっていてもよい。
そして、上述の実施形態では、ブレードの設けられている位置をワイピングポジションＷＰのインク吸引装置２０の払拭方向Ｗ側の側面に設けているが、例えば、キャリッジ１４が移動して払拭する場合は、例えば、ブレードは、ワイピングポジションＷＰとホームポジション１８の間で、インク吸引装置２０の走査方向Ｔ側の側面に設けるようにされていてもよい。この場合は、図１７で示したと同様に、走査方向Ｔと同一の方向が払拭方向Ｗとなり、この場合は、ノズルプレート面３０ａの全体を第１ブレードで払拭した後に、ノズルプレート面３０ａの走査方向Ｔと対応する方向であって、ノズルプレート面３０ａの両端に残るインク筋ＩＬ１、ＩＬ２を第２ブレードで払拭して除去することとなる。
【００６１】
本発明は、上述の実施の形態に限定されない。上記実施形態では、流体噴射装置をインクジェット式記録装置に具体化したが、この限りではなく、インク以外の他の流体（液体や、機能材料の粒子が分散されている液状体、ジェルのような流状体、流体として流して噴射できる固体を含む）を噴射したり吐出したりする流体噴射装置に具体化することもできる。例えば、液晶ディスプレイ、ＥＬ（エレクトロルミネッセンス）ディスプレイ及び面発光ディスプレイの製造などに用いられる電極材や色材などの材料を分散または溶解のかたちで含む液状体を噴射する液状体噴射装置、バイオチップ製造に用いられる生体有機物を噴射する液体噴射装置、精密ピペットとして用いられ試  となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、カプセル等に医薬品、健康食品の抽出物、調味料やゼラチン等のジェル（ゲル）を内包するために、これらのゲルをカプセル内に適量を噴射する流状体噴射装置、トナーなどの粉体を例とする固体を噴射するトナージェット式記録装置であってもよい。そして、これらのうちいずれか一種の流体噴射装置に本発明を適用することができる。
【図面の簡単な説明】
【００６２】
【図１】本発明の流体噴射装置の一例であるインクジェット式記録装置を示す概略斜視図である。
【図２】記録ヘッドのノズルプレート面の形状例を説明するための概略図である。
【図３】記録ヘッドのノズルプレート面の形状例を説明するための概略図である。
【図４】ノズルプレート面の払拭領域と各ブレードの対応例を示す概略説明図である。
【図５】第１の実施形態の払拭部の一例であるブレードの一部拡大概略斜視図である。
【図６】第１の実施形態の払拭部の一例であるブレードの一部拡大正面図である。
【図７】第１の実施形態の払拭部の動作を説明するための一例を示す一部概略説明図である。
【図８】第１の実施形態の払拭部の動作を説明するための一例を示す動作説明図である一部概略端面図である。
【図９】第１の実施形態の払拭部の動作を説明するための一例を示す一部概略説明図である。
【図１０】第１の実施形態の払拭部の動作を説明するための一例を示す動作説明図である一部概略端面図である。
【図１１】第２の実施形態の払拭部の一例であるブレードの一部拡大概略斜視図である。
【図１２】第２の実施形態の払拭部の一例であるブレードの一部拡大正面図である。
【図１３】ノズルプレート面の払拭領域と各ブレードの対応例を示す一部概略説明図である。
【図１４】第３の実施形態の払拭部の一例であるブレードの一部拡大概略図である。
【図１５】従来のノズルプレート面の払拭領域と各ブレードの対応例を示す一部概略説明図である。
【図１６】従来の払拭部の動作を説明するための一例を示す動作説明図である。
【図１７】従来の払拭部の動作を説明するための一例を示す動作説明図である。
【符号の説明】
【００６３】
１０・・・インクジェット記録装置（流体噴射装置の一例）、１４・・・キャリッジ、１８・・・ホームポジション、１９・・・吸引ポンプ、２０・・・インク吸引装置（流体吸引装置の一例）、３０・・・記録ヘッド（流体噴射ヘッドの一例）、３０ａ・・・ノズルプレート面、５０Ａ、５０Ｂ、５０Ｃ、５０Ｄ・・・ノズル開口列、５１Ａ、５１Ｂ、５１Ｃ、５１Ｄ・・・ノズル開口、１３０・・・インク払拭部、１６１〜１６４・・・ブレード（流体払拭部の一例）、１６１ａ〜１６４ａ・・・第１ブレード（第一払拭部の一例、１６１ｂ〜１６４ｂ・・・第２ブレード（第二払拭部の一例）、６１１〜６１４・・・ブレード（流体払拭部の一例）、６１１ａ〜６１４ａ・・・第１ブレード（第一払拭部の一例）、６１１ｂ〜６１４ｂ・・・第２ブレード（第二払拭部の一例）、６２１〜６２４・・・ブレード（流体払拭部の一例）、６２１ａ〜６２４ａ・・・第１ブレード（第一払拭部の一例）、６２１ｂ〜６２４ｂ・・・第２ブレード（第二払拭部の一例）、Ｗ・・・払拭方向、Ｔ・・・主走査方向、ＷＰ・・・ワイピングポジション、ＷＡ１〜ＷＡ４・・・払拭領域、ＷＢ１〜ＷＢ４・・・第２払拭領域、ＷＡ１１及びＷＡ２１・・・払拭領域、ＷＢ２１・・・第２払拭領域
【図１】
2008194963.tif 000003
【図２】
2008194963.tif 000004
【図３】
2008194963.tif 000005
【図４】
2008194963.tif 000006
【図５】
2008194963.tif 000007
【図６】
2008194963.tif 000008
【図７】
2008194963.tif 000009
【図８】
2008194963.tif 000010
【図９】
2008194963.tif 000011
【図１０】
2008194963.tif 000012
【図１１】
2008194963.tif 000013
【図１２】
2008194963.tif 000014
【図１３】
2008194963.tif 000015
【図１４】
2008194963.tif 000016
【図１５】
2008194963.tif 000017
【図１６】
2008194963.tif 000018
【図１７】
2008194963.tif 000019